(57)【要約】  収納容器内に収納されたワイプ積層体の嵩が減少しても、蓋体を確実に閉じてワイプの乾燥の進行を抑制できるとともに、より容易にワイプの先端部分をつまみ上げてワイプを引き出すことができるワイプ包装体を提供する。  本発明のワイプ包装体は、複数枚のワイプを重ね合わせたワイプ積層体を、容器構造体の収納容器内に収納してなるワイプ包装体であって、  容器構造体は、収納容器内からワイプを取り出すための取出口を備えた取出口部材が収納容器の開口部に密封接合されているとともに、  収納されたワイプ積層体から先行して引き出されるワイプと後続するワイプとを分離する為の二つの抵抗を与えるオリフィス部材が取出口部材の取出口より収納容器内方に位置して設けられ、オリフィス部材はワイプ積層体を押圧し第一の抵抗をワイプに与える押圧部とワイプに摩擦力による第二の抵抗を与えるオリフィスとを備え、  容器構造体は、取出口を密閉可能で開閉自在な蓋体を有して構成される。
2014141716.tif 000002
【特許請求の範囲】
【請求項１】
複数枚のワイプを重ね合わせたワイプ積層体を、容器構造体の収納容器内に収納してなるワイプ包装体において、
容器構造体は、収納容器内からワイプを取り出すための取出口を備えた取出口部材が収納容器の開口部に密封接合されているとともに、
収納されたワイプ積層体から先行して引き出されるワイプと後続するワイプとを分離する為の二つの抵抗を与えるオリフィス部材が取出口部材の取出口より収納容器内方に位置して設けられ、オリフィス部材はワイプ積層体を押圧し第一の抵抗をワイプに与える押圧部とワイプに摩擦力による第二の抵抗を与えるオリフィスとを備え、
容器構造体は、取出口を密閉可能で開閉自在な蓋体を有しているワイプ包装体。
【請求項２】
オリフィス部材が取出口部材に支持されている請求項１記載のワイプ包装体。
【請求項３】
ワイプが引き出されることに伴うワイプ積層体の嵩の減少量に応じ、オリフィス部材がワイプ積層体を押圧しながら収納容器奥方に向かって移動するように構成した請求項１又は２記載のワイプ包装体。
【請求項４】
ワイプ相互の分離に必要な力２０〜８００ｍＮ／ｃｍである請求項１〜３のいずれかに記載のワイプ包装体。
【請求項５】
オリフィス部材が弾性部材により構成されている請求項１〜３のいずれかに記載のワイプ包装体。
【請求項６】
オリフィス部材が基端と自由端を有し、オリフィス部材は基端において収納容器内に片持支持され、基端以外に押圧部が設けられている請求項１〜３のいずれかに記載のワイプ包装体。
【請求項７】
オリフィス部材が、オリフィスを挟む２つの基端において収納容器内に両持支持され、２つの基端以外に押圧部が設けられている請求項１〜３のいずれかに記載のワイプ包装体。
【請求項８】
オリフィス部材が、収納容器の奥方に向かって凸状に湾曲部を有し、湾曲部にオリフィスが形成されている請求項１〜３のいずれかに記載のワイプ包装体。
【請求項９】
ワイプ相互の分離に必要な力をＦ０、オリフィス部材によりワイプに与えられる押圧力である第一の抵抗をＦ１、オリフィス部材によりワイプに与えられる摩擦力である第二の抵抗をＦ２としたとき、Ｆ０、Ｆ１、Ｆ２の間に、Ｆ１＜Ｆ０＜Ｆ１＋Ｆ２なる関係を有する請求項１〜３のいずれかに記載のワイプ包装体。
【発明の詳細な説明】
【技術分野】
【０００１】
本発明は、ワイプを重ね合わせた積層体を容器構造体に収納したワイプ包装体に関する。
【背景技術】
【０００２】
ワイプ包装体は、複数枚のワイプを積層してなる積層体を容器構造体内に収納して構成されている。ワイプは、ウェブシート等の紙や不織布からなるシートに、消毒液、滅菌液のような薬液等を含浸させた含湿シートであり、薬液等で湿った状態を維持することができるように容器構造体の中に密閉収納される。そのようなワイプは、必要に応じて容器構造体から取り出されてお手拭用、お尻拭き用などといった広く様々な用途で使用されうる。【０００３】
容器構造体は、プラスチックや柔軟なフィルム材などを適宜用いて構成された収納容器に、収納容器内のワイプ積層体からワイプ一枚ずつ外部へ取り出すための取出口を有する取出口部材を収納容器の開口部に密封接合して構成されている。容器構造体内に収納されるワイプ積層体からワイプを外部へ取り出す際に、先行して取り出されるワイプと、それに後続するワイプとの間に、取出口付近においてオリフィス等を通過させることによって抵抗力を与え、ワイプ相互が分離部から分離され、容器構造体内のワイプ積層体から、先行するワイプが分離されて引き出されるよう構成されている。このとき、後続のワイプは、その先端部分が取出口に向かってやや突出した状態になる。そして次の使用時には、後続のワイプの突出した部分を摘んで容器構造体の外側方向に引き出すことで、ワイプ連続体から後続のワイプを更に引き出すことができる。【０００４】
このようなワイプ包装体においては、包装体の取出口が開放されていると、突出した後続ワイプの先端部分の乾燥だけでなくワイプ積層体全体の乾燥が進行しやすい。そこで、ワイプ包装体には、通常、容器構造体に、取出口を繰り返し密閉、開閉することができる蓋体が設けられており（例えば、特許文献１、２）、このような包装体では容器構造体内部を効果的に密閉状態することができ、容器構造体内に収納されているワイプ積層体を構成するワイプに含浸された薬液等の揮発が効果的に防止することができる。
【先行技術文献】
【特許文献】
【０００５】
【特許文献１】特開２００４−１９６３０３号公報
【特許文献２】特開２０１０−１７３６４９号公報
【発明の概要】
【発明が解決しようとする課題】
【０００６】
ワイプ包装体においては、ワイプを消費していくと、容器構造体内におけるワイプ積層体の積層数が減少してその嵩が減少した状態になる。すると、オリフィスは通常取出口付近に設けられているため、容器構造体内にあるワイプ積層体の表面とオリフィスとの間隔が広がった状態になる。この状態で更にワイプを引き出す場合、ワイプがオリフィスをすり抜けやすくなって分離部でワイプ相互間の分離が生じるタイミングに遅れが発生しやすくなる。すると、先行して引き出されるワイプに後続するワイプが余分に引き出され、その先端部が取出口から大きく外側にはみ出した状態となり易い。【０００７】
後続するワイプ先端部が取出口から過剰にはみ出すと、蓋体によって取出口を確実に閉止することが困難となって容器構造体内を確実に密閉できなくなり、この結果ワイプ積層体の湿潤状態が維持できなくなるという重大な問題が生じる。【０００８】
更に、ワイプ積層体の積層数が減少してワイプ積層体の表面とオリフィスとの間隔が広がると、分離部で分離されて容器構造体内に残された側のワイプの先端がオリフィスで保持されず、容器構造体内に落ち込む虞れがあり、このような場合に、落ち込んだワイプの先端部分をつまみ上げて再び外に引き出すことは煩雑で手間がかかる等の問題も生じる。【０００９】
容器構造体の収納容器が、柔軟なフィルム材等から形成された袋状の場合には、収納容器を押し潰すことで、ワイプ積層体の表面と取出口との間隔を狭め、後続するワイプがオリフィスをすり抜けることを抑制することも一応可能である。しかしながら、収納容器自体を押し潰してしまうと、収納容器に折れ目を生じるとともに折れ目に沿って収納容器が裂けやすくなる。そして、収納容器に裂けがわずかにでも生じてしまうと、容器構造体の密閉性を大きく悪化させてしまい、ワイプの乾燥の進行をかえって加速させてしまう虞がある。【００１０】
本発明は、湿潤状態のワイプ積層体を収納した容器構造体内から、確実にワイプ相互を分離して取り出すことができ、ワイプ積層体の嵩が減少した場合でも、蓋体による閉止が困難となることがなく、ワイプの乾燥を抑制できるとともに、より容易にワイプの先端部分をつまみ上げてワイプを引き出すことができるワイプ包装体を提供することを目的とする。
【課題を解決するための手段】
【００１１】
本発明は、
（１）複数枚のワイプを重ね合わせたワイプ積層体を、容器構造体の収納容器内に収納してなるワイプ包装体において、
容器構造体は、収納容器内からワイプを取り出すための取出口を備えた取出口部材が収納容器の開口部に密封接合されているとともに、
収納されたワイプの積層体から先行して引き出されるワイプと後続するワイプとを分離する為の二つの抵抗を与えるオリフィス部材が取出口部材の取出口より収納容器内方に位置して設けられ、オリフィス部材はワイプ積層体を押圧し第一の抵抗をワイプに与える押圧部とワイプに摩擦力による第二の抵抗を与えるオリフィスとを備え、
容器構造体は、取出口を密閉可能で開閉自在な蓋体を有しているワイプ包装体、
（２）オリフィス部材が取出口部材に支持されている上記（１）のワイプ包装体、
（３）ワイプが引き出されることに伴うワイプ積層体の嵩の減少量に応じ、オリフィス部材がワイプ積層体を押圧しながら収納容器奥方に向かって移動するように構成した上記（１）又は（２）のワイプ包装体、
（４）ワイプ相互の分離に必要な力が２０〜８００ｍＮ／ｃｍである上記（１）〜（３）のいずれかのワイプ包装体、
（５）オリフィス部材が弾性部材により構成されている上記（１）〜（３）のいずれかのワイプ包装体、
（６）オリフィス部材が基端と自由端を有し、オリフィス部材は基端において収納容器内に片持支持され、基端以外に押圧部が設けられている上記（１）〜（３）のいずれかのワイプ包装体、
（７）オリフィス部材が、オリフィスを挟む２つの基端において収納容器内に両持支持され、２つの基端以外に押圧部が設けられている上記（１）〜（３）のいずれかのワイプ包装体、
（８）オリフィス部材が、収納容器の奥方に向かって凸状に湾曲部を有し、湾曲部にオリフィスが形成されている上記（１）〜（３）のいずれかのワイプ包装体、
（９）ワイプ相互の分離に必要な力をＦ０、オリフィス部材によりワイプに与えられる押圧力である第一の抵抗をＦ１、オリフィス部材によりワイプに与えられる摩擦力である第二の抵抗をＦ２としたとき、Ｆ０、Ｆ１、Ｆ２の間に、Ｆ１＜Ｆ０＜Ｆ１＋Ｆ２なる関係を有する上記（１）〜（３）のいずれかのワイプ包装体、
を要旨とする。
【発明の効果】
【００１２】
本発明のワイプ包装体は、ワイプ積層体に押圧による第一の抵抗を与える押圧部と、摩擦力による第二の抵抗を与えるオリフィスとを備えたオリフィス部材を設け、ワイプを引き出す際の先行するワイプと後続するワイプとを分離する為の二つの抵抗を与えるようにしたため、ワイプ積層体から先行して引き出されるワイプと、それに後続するワイプとを確実に分離して先行するワイプを引き出すことができる。また収納容器内に収納されたワイプ積層体の嵩が減少した場合でも、後続のワイプ先端が余分に引き出されることがないため、蓋体によって容器構造体内を確実に密封できワイプの乾燥を抑制できるとともに、より容易にワイプの先端部分をつまみ上げてワイプを引き出すことができる。
【図面の簡単な説明】
【００１３】
【図１】図１は、本発明の第１の実施形態におけるワイプ包装体の外観構成を概略的に表す斜視図である。
【図２】図２は、図１のＡ−Ａ線断面の状態を模式的に示す縦断面図である。
【図３】図３Ａは、ワイプ包装体から取出口部材とオリフィス部材と蓋体とで構成される構造部分の外観構成を模式的に示す斜視図、図３Ｂは、取出口部材とオリフィス部材と蓋体とで構成される構造部分を下面側から見た場合の外観構成を模式的に示す斜視図である。
【図４】図４Ａは、取出口からワイプを取り出す状態を表す説明図、図４Ｂはワイプを取り出した状態を表す説明図、図４Ｃはワイプを取出した後に蓋体で取出口の蓋をした状態を表す説明図である。
【図５】図５は、ワイプ積層体の嵩が減少した場合において、取出口からワイプを取り出す状態を表す説明図である。
【図６】図６は、ワイプ包装体に収容可能なワイプ積層体の一例の側面図である。
【図７】図７は、ワイプ包装体に収容可能なワイプ積層体の他の例の側面図である。
【図８】図８は、ワイプ包装体からオリフィス部材を抜き出してその外観構成を模式的に示もので、ワイプ積層体の表面にあるワイプがオリフィス部材のオリフィスを通過して引き出される様子を表す説明図である。
【図９】図９は、ワイプ包装体を立てて使用した場合の一例を示す説明図である。
【図１０】図１０は、ワイプ包装体を立てて使用した場合の他の一例を示す説明図である。
【図１１】図１１は、オリフィス部材に弾性体を取り付けた場合の説明図である。
【図１２】図１２は、第２の実施形態におけるワイプ包装体からオリフィス部材を抜き出してその外観構成を模式的に示す斜視図である。
【図１３】図１３は、第２の実施形態におけるワイプ包装体にオリフィス部材を設けた状態を示し、ワイプ積層体の嵩が減少した場合におけるオリフィス部材を構成するオリフィス部材形成片の状態の説明図である。
【図１４】図１４は、第３の実施形態における取出部にオリフィス部材を取り付けた場合の例の説明図である。
【図１５】図１５は、オリフィス部材にリブを取り付けた場合の例の説明図である。
【図１６】図１６は、オリフィス部材に湾曲部を形成した場合の例であって、湾曲部が２方向に湾曲して形成されている場合の例の説明図である。
【図１７】図１７は、第４の実施形態におけるワイプ包装体を説明図であり、図２に対応した縦断面を模式的に示す縦断面図である。
【図１８】図１８はオリフィスの異なる形状を示す図である。
【発明を実施するための形態】
【００１４】
［第１の実施形態］
本発明に係るワイプ包装体１の第１の実施の形態の構成について、図１等を参照しつつ説明する。
【００１５】
本明細書において、上下前後左右の方向は、特に断りのない限り、次に示す方向を示すものとする。ワイプ包装体１を設置面側とは逆側に取出口１２を向けつつ配置した場合に、積層体６から取出口１２に向かう方向を上方向とする。この場合においては、積層体６の厚み方向に沿った方向が上下方向となる。図１に示すようにワイプ包装体１において、互いに直交するｘ軸、ｙ軸、ｚ軸で張られるｘｙｚ３次元空間を想定した場合には、ｚ軸方向、ｙ軸方向がそれぞれ上下方向、前後方向に沿った方向となる。そして、その場合に、ｘ軸方向にあたる方向が左右方向になる。また、ワイプ包装体１において、容器構造体３の取出口１２から離れる方向であって容器構造体３の内部に向かう方向を奥方向とする。さらに、ワイプ包装体１の平面視上とは、ワイプ包装体１を上方向から下方向に向かって見た場合を示すものとする。
【００１６】
図１、図２に示すように、本発明のワイプ包装体１は、取出口１２を有する取出口部材１７を収納容器１５の開口部１６に密封接合して形成されている。収納容器１５の開口部１６と、開口部１６に接合された取出口部材１７とによって、取出部１１が構成され、取出部１１の取出口１２から容器構造体３の外方にワイプ７が引き出される。収納容器１５内には、複数のワイプ７を重ね合わせたワイプ積層体６（以下、単に積層体６という。）が収納される。容器構造体１５は、包装容器内に収納されている積層体６から先行して引き出されるワイプと後続するワイプとを分離するための二つの抵抗を与えるオリフィス部材４が、取出口部材１７の取出口１２より収納容器１５の内方に位置して設けられている。
【００１７】
（収納容器１５）
収納容器１５は、積層体６を内部に収納可能な空間を有する形状に形成されていれば、その形状は特に限定されものではない。収納容器１５は、柔軟なフィルム材等を袋状に構成してなる袋体であっても、プラスチック等の樹脂材料によって形成された筐体であってもよい。収納容器１５が袋体である場合、袋体は、気密性を有する袋を用いられる。具体的には、袋体は、柔軟性のあるプラスチックフィルム等により、例えば、図１等に示すようなピロー形状の袋状に形成されていることが好適である。
【００１８】
（開口部１６）
収納容器１５に形成された開口部１６は、ワイプ７の引き出しが可能であれば、形状、大きさ適宜選択可能である。図１，図２等の例では、開口部１６は、収納容器１５の上面側の所定領域を略四角形状に開口させて形成されているが、開口部１６の大きさや形状はこの例に限定されるものではない。
【００１９】
（取出口部材１７）
取出口部材１７は、ワイプ包装体１の平面視上、収納容器１５の開口部１６の形成領域内に取出口１２の少なくとも一部が位置するように収納容器１５に取り付けられている。ただし、ワイプ包装体１の平面視上、収納容器１５の開口部１６の形成領域内に取出口１２全体が開口するように収納容器１５に取り付けられていることが、ワイプ７の引き出しが容易となるため好適である。取出口部材１７の材質は、特に限定されず、ポリエチレン、ポリプロピレン等の熱可塑性樹脂材料等を選択することができるが、取出口部材１７は、収納容器１５よりも硬い材質のもので構成されていることが好ましい。容器構造体３が、収納容器１５の開口部１６に取出口部材１７を密封接合していることで、開口部１６及びその周囲の強度を効果的に強めることができる。
【００２０】
（取出口１２）
取出口部材１７の取出口１２は、容器構造体３の内部に収納された積層体６からワイプ７を容器構造体３の外部に引き出し可能であれば、その形状、大きさは特に限定されない。
【００２１】
（取付部１９）
取出口部材１７は、図３Ａ，図３Ｂ等に示すように、蓋体５を閉じた状態で、ワイプ包装体１の平面視上、略四角形状の外側輪郭を有して形成されている。取出口部材１７は、収納容器１５の開口部１６の外面側に向かい合わせて取り付けられていても、収納容器１５の開口部１６の内面側に向かい合わせてよい。図１，図２，図３等の例では、取出口部材１７は、上側の面を取付部１９として、取付部１９を収納容器１５の開口部１６の内面側に向かい合わせて取り付けられる。取出口部材１７を収納容器１５に取り付ける方法としては、例えばホットメルトや接着等が挙げられるが、これらに限定されるものではなく、任意に選択した種々の方法を用いてよい。
【００２２】
（蓋体５）
容器構造体３には、取出口１２を密閉可能で開閉自在な蓋体５が設けられる。図１、図２、図３等に示す例では、蓋体５はヒンジ部５ａを介して取出口部材１７に取り付けられている。
【００２３】
蓋体５は、ヒンジ部５ａを介して取出口部材１７と一体成型されてもよいし、ヒンジ部５ａと取出口部材１７とそれぞれ別々に形成し、接合一体化してもよい。蓋体５がヒンジ部５ａ及び取出口部材１７と一体成型される場合、更に蓋体５、ヒンジ部５ａ及び取出口部材１７とともに、後述するオリフィス部材４も一体成型により形成されていてもよい。蓋体５は、ヒンジ部５ａと一体成型し且つ取出口部材１７とは別体に形成されてもよい。蓋体５は、取出口部材１７と同様の材料、例えば、ポリエチレン、ポリプロピレン等の熱可塑性樹脂材料で形成されてよい。ワイプ包装体１に蓋体５が設けられていることで、図４Ｃに示すように蓋体５によりワイプ７が容器構造体３から露出することをより確実に抑制することができ、収納されている積層体６、ひいてはワイプ７の乾燥を効果的に抑止することができる。
【００２４】
（ワイプ７）
ワイプ７は、例えば、合成繊維若しくは天然繊維からなる紙、織布又は不織布等を用いて成形されたシートに薬液等を含浸させた含湿シートである。薬液等としては、例えば、アルコール類、水又はこれらの混合物が挙げられる。また、薬液には、香料、抗菌剤、消臭剤、界面活性剤、防腐剤、色素、消泡剤、酸化防止剤、清澄剤、可溶化剤、ｐＨ調整剤等を任意に選択して配合してもよい。なお、積層体６を構成するシート及び薬液等について上記した材質は一例であり、上記した以外のものを任意に選択して用いてもよい。本発明において、ワイプ７とは、積層体６から分離されたシート状のもの、積層体６を構成している積層体中のシート状のものの双方を意味する。
【００２５】
（積層体６）
積層体６は、図２に破線で略示されるように、複数のワイプ７を積層してなる構造体である。積層体６は、折り畳み構造を有するものであってもよいし、ロール状に巻かれた構造を有するものであってもよい。尚、積層体６が折り畳み構造であるとワイプ包装体１の容器構造体３内からワイプ７を取り出す操作を繰り返すうちに積層体６に皺や型崩れを生じる状態が生じにくい点で好適である。
【００２６】
積層体６には、折り畳み構造を有するものとして、独立した複数枚のワイプの一部を重ね合わせて積層した積層体（以下、単に枚葉型積層体という。）と、隣り合うワイプをミシン目を介して連続させて積層した積層体（以下、単にミシン目型積層体という。）とがある。また、ロール状に巻かれた構造を有するものとしては、隣り合うワイプをミシン目で連続させロール状に積層した積層体（以下、単にミシン目型ロール積層体という。）もある。
【００２７】
積層体６には、図６、図７に示すようにワイプ７相互の重なり部や、ミシン目が分離部１０となり、ワイプ包装体１からワイプ７を取り出す操作が行われると、積層体６から先行して取出口１２から引き出されるワイプ７と、これに後続するワイプ７とが、分離部１０で分離されて互いに引き離されることになる。
【００２８】
本発明において、ワイプ７が積層体６から分離されるとは、枚葉型積層体では、ワイプ７、７が互いに接触した部分で、先行するワイプ７が積層体６から引き離され、後続するワイプと分離されることを意味する。また、ミシン目型積層体やミシン目型ロール積層体では、ミシン目等の位置で引き裂かれて先行するワイプ７が積層体６から引き離されることを意味する。
【００２９】
（オリフィス部材４）
オリフィス部材４は、積層体６からワイプ７を取り出す際に、積層体６を押圧し第一の抵抗をワイプに与える押圧部１８と、ワイプ７に摩擦力による第二の抵抗を与えるオリフィス１３を有している。取出口１２からワイプ７が引き出されることに伴う積層体６の嵩の減少量に応じて、オリフィス部材４は積層体６を押圧しながら収納容器１５の奥方に向かって移動し、それに伴ってオリフィス１３も収納容器１５の奥方側（図２の矢印Ｋ方向）に移動する。オリフィス部材４の押圧部１８は、積層体６と接して積層体６を押圧している部分であり、積層体６の嵩の減少量に応じたオリフィス部材４の移動に伴って、オリフィス部材４と積層体６の接触部である押圧部１８の位置も移動する。オリフィス部材４の材質としては、特に限定されないが、ポリエチレン、ポリプロピレン等の熱可塑性樹脂材料等を選択することができる。
【００３０】
図１の例では、オリフィス部材４は、基端２１において取出口部材１７の取出部１１に片持支持されている。オリフィス部材４は例えば弾性を有する材料により構成されており、この例に示すオリフィス部材４は、基端２１側の所定位置から自由端２２側に向かって収納容器１５の奥方側に斜め傾斜するようにのびている。オリフィス部材４は、オリフィス部材４を構成する材料の弾性力や、バネ等による付勢力により、自由端２２側が収納容器１５の奥方側に向かって移動し、図２に破線で示されるように、オリフィス部材４（Ｔ０）は、積層体６を押圧していない自然状態では自由端２２が収納容器１５の底部より下方に位置する形状に形成されていて（収納容器１５の底部が存在しない仮想状態において）、積層体６の表面に押し当てられた状態では、オリフィス部材４は仮想状態から弾性変形し、図２に示すように、積層体６の嵩の減少量に応じて、オリフィス部材４は基端２１を中心にして回動し、自由端２２が収納容器１５の奥方側に移動する。尚、オリフィス部材４は取出部１１に取付られている場合に限らないが、取出部１１周辺部など、取出口部材１７に支持されていることが好ましい。
【００３１】
（押圧部１８）
オリフィス部材４における押圧部１８は、積層体６を押圧してワイプに第一の抵抗を与える部位である。従って、オリフィス部材４における押圧部１８は、積層体６と接して押圧している部分であり、取出部１１に支持されている基端２１以外の部位は押圧部１８としての機能を有し得る。オリフィス部材４は、積層体６の嵩の減少に応じて、収納容器１５の奥方側に移動するよう構成されているため、積層体６の嵩が低下しても、オリフィス部材４の押圧部１８が積層体６の表面に押し付けられて積層体６を押圧し、積層体６に第一の抵抗を付与した状態が維持される。
【００３２】
（オリフィス１３）
オリフィス１３は、図４Ａ、図４Ｂ、図８等に示すように取出口１２からワイプ７が引き出される際に、オリフィス１３を経由してワイプ７を引き出すことにより、ワイプ７に摩擦力による第二の抵抗を付与するとともに、後続するワイプ７の先端部（積層体６の先端６ａ）を保持する。オリフィス１３によりワイプ７に加えられる摩擦力としての第二の抵抗は、押圧部１８による第一の抵抗とともに、先行するワイプ７と後続のワイプ７とを分離する力として作用する。片持支持されたオリフィス部材４において、オリフィス１３はオリフィス部材４の基端２１以外の部分に設けられ、オリフィス１３の形成位置は、特に限定されず適宜選択可能であるが、オリフィス部材４の中心の位置に形成されていることが、オリフィス１３とワイプ７との摩擦抵抗がある程度大きくなっても摩擦抵抗によってオリフィス部材４に意図しない変形が生じないように抑制しやすい点で好ましい。
【００３３】
オリフィス１３の形状や構造は、特に限定されないが、図８に示す例では、左右方向（ｘ軸方向）にのびる長孔状の摘み孔部２８を有してなる。
【００３４】
オリフィス１３は、摘み孔部２８のみで形成されていてもよいが、図８に示すように摘み孔部２８の幅方向（短径方向）に沿って、摘み孔部２８からやや離れた位置に、間隔をおいて細長な補助孔３３、３４を形成し、摘み孔部２８と補助孔３３をつなぐスリット３７と、補助孔３３と補助孔３４をつなぐスリット３８とで構成しても良い。オリフィス１３がこのように構成されている場合、オリフィス１３を通過させて積層体６の先端部６ａを引き出そうとする際、積層体６の先端部６ａやその近傍部分が摘み孔部２８を通過しうるのみならず補助孔３３、３４とスリット３７、３８も通過し、摘み孔部２８のみならず、補助孔３３、３４及びスリット３７、３８からもワイプ７に対して摩擦を付与できるようになる。積層体６が複数枚のワイプ７を折り重ねて形成した構造の場合、オリフィス１３を摘み孔部２８や、図８に示すように摘み孔部２８の幅方向に補助孔とスリットとを設けた構成とする場合、摘み孔部２８の幅方向（短径方向）が、ワイプ７の幅方向と平行するように設けることが好ましい。尚、摘み孔部２８は図８に示したごとき長孔状に形成されたものに限らず、その形状は特に限定されないが、指が入るサイズが好ましい。摘み孔部２８はスリット状の狭い開口であってもよく、オリフィス１３を柔軟性のあるシートを用いることで、ワイプ７を摘み出す場合のみ広く開口させ、その後は弾力によって狭いスリット状に戻り、引き出すワイプ７に摩擦抵抗を与える様にすることもできる。また、オリフィス１３は、摘み孔部２８を線状又は面状の弾性部材で仕切ってもよい。
【００３５】
オリフィス１３は、図８に示す形状に限らず、図１８Ａ〜図１８Ｄに示すような種々の形状とすることができる。また図８に示すような摘み孔部２８とその幅方向に設けた補助孔３３、３４とスリット３７、３８との配置を対称に配置することに限らずに、図１８Ａ、図１８Ｂに示すように摘み孔部２８に対して補助孔３３、スリット３７を非対称に配置したり、図１８Ｄに示すように摘み孔部２８に対して補助孔３３、３４、スリット３７、３８を非対称に配置しても良い。そのような配置をすることで、積層体６からワイプ７を引き出す際に摘み孔部２８より孔径の小さい補助孔３３、３４とスリット３７、３８からのみ引き出すこともできる。その結果、摘み孔部２８に対して補助孔３３、３４、スリット３７、３８を対称に配置した場合より、大きな摩擦力をワイプ７に与えることができ、先行するワイプ７と後続するワイプ７の分離を確実にすることができる。図８は、オリフィス１３が摘み孔部２８とその幅方向に設けた補助孔とをスリットで繋いだ構造を示し、摘み孔部２８の幅方向がワイプの幅方向となるように設けると、ワイプ７がオリフィス１３において摩擦を付与されて取り出された際にシワになりにくいため外観上、好ましい。オリフィスの形状は図８に示したオリフィスの形状に限られず、ワイプ７がオリフィス１３で強く絞られる状態を緩和できる形状であればよい。それにより引き出したワイプ７へのシワ発生を防ぐことができる。
【００３６】
上記、取出部１１に片持ち支持されたオリフィス部材４は、その自由端２２側が容器構造体３の奥方側に向かって移動して押圧部１８が積層体６を押圧する力を有していることにより、積層体６の嵩の減少量に応じてオリフィス部材４の自由端２２側が基端２１側を中心に回動して、積層体６の表面に常に押圧部１８が接触して積層体６を押圧し、押圧部１８による第一の抵抗が付与された状態が維持される。
【００３７】
積層体６の嵩の低下にともない図２、図５に示すようにオリフィス部材４は、押圧部１８が積層体６を押圧して第一の抵抗を加えながら、オリフィス１３が収納容器１５の奥方側に向かって移動するよう構成されている。図２において、一点鎖線で示す符号４（Ｔ１）は、積層体６の嵩が減少した場合における、オリフィス部材４を示し、二点鎖線で示す符号４（Ｔ２）は、積層体６の嵩が更に減少した場合における、オリフィス部材４を示す。一点鎖線で示す符号１３（Ｔ１）は、オリフィス部材４（Ｔ１）におけるオリフィス１３を示し、二点鎖線で示す符号１３（Ｔ２）は、オリフィス部材４（Ｔ２）におけるオリフィス１３を示す。また図５において、符号７（Ｎ２）は、引き出されるワイプ７（Ｎ１）に後続するワイプ７を示す。尚、図２の例においては、オリフィス部材４は、その弾性変形時に所定位置で曲がって屈曲部２３を形成しているが、これは一例にすぎず、弾性変形時に屈曲部２３が形成されていなくともよい。
【００３８】
ワイプ７を引き出して先行するワイプと後続するワイプとを分離するに際し、押圧部１８による第一の抵抗と、オリフィス１３による第二の抵抗とが与えられる。これら二つの抵抗により先行するワイプ７と後続するワイプ７とが分離され、後続するワイプ７の先端はオリフィス１３との摩擦力によりオリフィス１３から突出した状態で保持される。押圧部１８による第一の抵抗と、オリフィス１３による第二の抵抗の二つの抵抗の作用により、先行するワイプ７と後続するワイプ７がタイミング良く分離され、後続するワイプ７は摩擦力により先端部が最適な突出量でオリフィス１３に保持されるため、後続するワイプ先端が余分に引き出されたり、オリフィス１３から抜け落ちたりする虞がない。このため蓋体５を確実に閉じることができ残りのワイプ７の乾燥を防止できるとともに、次のワイプの取り出しが困難となる虞もない。
【００３９】
上記ワイプ相互を分離するために必要な力をＦ０、オリフィス部材４により積層体６に与えられる第一の抵抗をＦ１、オリフィス部材４のオリフィス１３によりワイプに与えられる摩擦力である第二の抵抗をＦ２としたとき、Ｆ０、Ｆ１、Ｆ２の間に、
Ｆ１＜Ｆ０＜Ｆ１＋Ｆ２    ・・・・（１）
なる関係を有することが好ましい。ワイプ相互を分離するために必要な力Ｆ０に対し、Ｆ１、Ｆ２との間に上記（１）の不等式が成り立つ関係を有していると、積層体６から先行して引き出されるワイプ７と後続するワイプ７とを確実に分離して先行するワイプ７を取り出すことができるとともに、後続するワイプ７の先端部をオリフィス１３まで引き出してオリフィス１３において確実に保持することができる。一方、Ｆ０＜Ｆ１であると、先行するワイプ７と後続するワイプ７とを分離して先行するワイプ７を取り出すことはできるが、後続するワイプの先端がオリフィス１３の位置まで引き出されず、後続するワイプ７の先端をオリフィス１３において保持することが困難となる虞れがあり、この結果、後続するワイプ７を更に取り出す際に、煩雑な手間がかかる。またＦ１＋Ｆ２＜Ｆ０であると、先行するワイプ７と後続のワイプ７とが分離されずに、ワイプ７が連続した状態で引き出されてしまう虞がある。尚、第一の抵抗Ｆ１は、主としてオリフィス部材４の押圧部による押圧力に相当し、第二の抵抗Ｆ２はワイプとオリフィス１３との間の摩擦力である１８が、第一の抵抗Ｆ１は、ワイプ７が積層されている場合は、ワイプ７を押圧する押圧力であり、ワイプ７が引出された場合には、押圧力と押圧力によってワイプ７との間で生じる摩擦力も含まれる。
【００４０】
（ワイプ相互の分離に必要な力）
本発明において、積層体６からワイプ７を引き出す際に、ワイプ７を一枚ごとに確実に分離して引き出すために、ワイプ相互を分離するために必要な力が２０〜８００ｍＮ／ｃｍであることが好ましく、より好ましくは５４〜３９９ｍＮ／ｃｍである。上記ワイプ相互を分離する力は、ＪＩＳ  Ｌ  １０９６  Ａ法（ストリップ法）に順じて測定される値である。
【００４１】
以下に、枚葉型積層体とミシン目型ロール積層体におけるワイプ相互を分離するために必要な力を測定した結果を示した。
【００４２】
（枚葉型積層体の測定）
表１に示す９種類の枚葉型積層体について、積層体から最初のワイプ（積層体最上面部に位置するワイプ）を分離するために必要な力、積層体の厚みが半分となったときにその上面に位置するワイプを分離するために必要な力、積層体の最後の２枚からその上面側に位置するワイプを分離するために必要な力を、引張試験機（オリエンテック株式会社製  定速伸長形  ５０Ｎロードセル）でチャック間隔２０ｃｍ、引張速度１０ｃｍ／分で測定し、ワイプが分離した時の強度Ｐ１（Ｎ）を測定し、ワイプの単位幅（ｃｍ）当たりの強度（ｍＮ／ｃｍ）を求め、３カ所の測定で求めた強度の算術平均値を積層体からワイプを分離するための必要な力（ワイプ分離力）とし、表１に示した。試験に使用した各積層体におけるワイプの幅、重なり部の面積、湿潤率を表１に併せて示した。また、表１に示す幅、重なり部面積のドライティッシュ積層体について同様の測定を行ったが、試験機の測定可能な下限である２ｍＮ／ｃｍ未満であり、測定は不能であった。
【００４３】
【表１】
2014141716.tif 000003
【００４４】
※１  湿潤率は、乾燥前の湿潤したワイプ質量（乾燥前質量）と、湿潤したワイプを１０５℃±５℃の乾燥器内で、質量が一定になるまで乾燥した後、常温まで冷却した時の質量（絶乾質量）とから、以下の式により求めた。
湿潤率（％）＝（乾燥前質量−絶乾質量）÷絶乾質量×１００
【００４５】
（ミシン目型ロール積層体の測定）
表１に示す５種類のミシン目型ロール積層体から最初のワイプ（積層体最上面部に位置するワイプ）を分離するために必要な力、ロールの径が半分となったときにその上面に位置するワイプを分離するために必要な力、積層体の最後の２枚からその上面側に位置するワイプを分離するために必要な力を、引張試験機（オリエンテック株式会社製  定速伸長形  ５０Ｎロードセル）でチャック間隔２０ｃｍ、引張速度１０ｃｍ／分で測定し、ワイプが分離した時の強度Ｐ２（Ｎ）を測定し、ワイプの単位幅（ｃｍ）当たりの強度（ｍＮ／ｃｍ）を求め、３カ所の測定で求めた強度の算術平均値を積層体からワイプを分離するための必要な力（ワイプ分離力）とし、表１に示した。試験に使用した各積層体の幅、湿潤率を表１に併せて示した。
【００４６】
（リブ４０）
図１５に示すように、オリフィス部材４にはオリフィス１３を挟むようにリブ４０が立設されていてもよい。リブ４０の形状は、特に限定されるものではないが、図１５の例では、基端２１から自由端２２に向かう方向に沿ってのびる形状に形成されている。オリフィス１３には、ワイプ７との間で作用する応力の力点があるため、オリフィス１３以外の部分と比較して負荷が加わる機会が多く、加わる負荷が大きかったり、回数が多くなると、オリフィス１３やその近傍に変形を生じる虞があるが、オリフィス部材４に上記したようなリブ４０が形成されていると、オリフィス１３やその近傍の剛性が向上し、オリフィス１３やその近傍の変形の虞を抑制することができる。
【００４７】
（弾性体２４）
図１１は、第１のオリフィス部材４の変形例を示しており、オリフィス部材４の基端２１側の所定位置に、オリフィス部材４に積層体６を押圧する力を付与するための弾性体２４が取り付けられた例を示す。弾性体２４としては、プラスチック材や金属材などで構成されるバネ材や、シリコンゴムなどを適宜選択可能である。オリフィス部材４に弾性材２４が取り付けられていることで、オリフィス部材４が容器構造体３の奥方側に向かう力を効果的に強めることができる。このように、オリフィス部材４に積層体６を押圧する力を与える構造はどのようなものであっても差し支えない。
【００４８】
（基端２１と自由端２２との距離）
第１の実施形態のオリフィス部材４は、基端２１と自由端２２との距離を特に限定されるものではないが、自由端２２が最も容器構造体３の奥方側に移動した状態における基端２１と自由端２２との距離が取出部１１から積層体６の底位置までの距離以上であることが、最後の一枚のワイプ７が外部に取り出されるまで積層体６の表面をオリフィス部材４の押圧部１８が押圧して積層体６の積層構造の崩れを抑制することができることとなって好ましい。
【００４９】
オリフィス部材４は、前記取出口部材１７、蓋体５と射出成形等により一体成形されていても良いが、別体に成形した各部材を組みあわせて任意の接合手段によって接合一体化しても良いが、オリフィス部材４を取出口部材１７及び蓋体５と一体成形すると、ワイプ包装体の製造工程が簡素化され、製造が容易で経済性にも優れたものとなる。
【００５０】
（ワイプ包装体１の使用形態）
ワイプ包装体１は、図１，図２等に示すような取出口１２を上に向けて載置面２５上に配置されている場合に限られない。例えば、図９に示すようにワイプ包装体１が、筐体上の容器構造体３内に積層体６を収納して構成されているような場合に、ワイプ包装体１は、取出口１２の向きが上下方向とは異なる方向となるように容器構造体３における取出口１２の形成面が水平面に対して起立した状態として載置面２５上に置かれて使用されてもよい。このような使用を、ワイプ包装体１を立てて使用する（縦置き）と呼ぶ。その場合、ワイプ包装体１において積層体６の積層構造が崩れやすくなるという問題が考えられるが、第１の実施形態におけるワイプ包装体１によれば、オリフィス部材４の自由端２２側が容器構造体３の奥方側に向かって移動して押圧部１８が積層体６を押圧する構成が備えられていることで、図９に示すように積層体６より上側で積層体６が容器構造体３の奥方向に向かって押し付けられることから、積層体６の積層構造が崩れる虞が抑制され、積層体６の積層構造が確実に保持される。
【００５１】
また、図１０の例に示すようにオリフィス部材４の自由端２２側よりも基端２１側のほうが上側に位置するように立てて使用されてもよい。この場合、積層体６の積層構造が崩れてきてもオリフィス部材４上に寄りかかるようになって、やはり積層体６の積層構造の崩れが抑制される。
【００５２】
上記枚葉型積層体、ミシン目型積層体としては、具体的に以下のようなものが挙げられる。
【００５３】
（枚葉型積層体６の例）
枚葉型積層体６としては、例えば図６に示すように、所定の折構造となるように折り畳まれた独立した複数のワイプ７が、部分的に重なり合ってオーバーラップ部１０ａを形成するように折り重ねられて構成されたものが挙げられる。この場合、オーバーラップ部１０ａが、分離部１０となる。図６は、Ｚ字状に折られたＺ折りと呼ばれる折構造を有するワイプ７を積層したＺ折り型の積層体６を示す。積層体６は、Ｚ折り型に限らず、Ｗ字状に折られたＷ折り型や、Ｚ字状に折られたＺ折り型、Ｚ折り型とＷ折り型のワイプ７を交互に積層したＷＺ折り型であっても良い。ワイプ７の折構造はＷ折り型やＺ折り型に限定されず、図４Ａから図４Ｃに示すように先行するワイプ７が引き上げられた時にそれに後続するワイプ７が順次連続して引き上げられ、図４Ｂのように先行するワイプ７とそれに後続するワイプ７とが分離した際に、図４Ｃのように後続のワイプ７の先端部（即ち、積層体６の先端部６ａ）が、後述するオリフィス１３から飛び出した状態、すなわちオリフィス１３に保持された状態となるように、積層体６を構成できるものであれば、他の折構造のワイプ７を積層したものであっても、Ｗ折り、Ｚ折りや、その他の折り構造のワイプを組みあわせて積層したものであっても良い。
【００５４】
図６に示す積層体６では、先行して引き出されることを予定されたワイプ７ａの終端側の上面７ｃと、これに後続するワイプ７ｂの始端側の下面７ｄとが向かい合わせになるようにワイプ７ａ、７ｂ同士を重なり合わせてオーバーラップ部１０ａが形成されている。このような積層体６を収納した容器構造体３から、先行するワイプ７ａを引き出す際には、オーバーラップ部１０ａでワイプ７ａ、７ｂ間に作用する密着力でワイプ７ａの終端がワイプ７ｂの始端を引き上げ、ワイプ７ａの終端側のオーバーラップ部１０ａがオリフィス１３に向かって移行することになる。ワイプ７ａの引き出しが進むと、オーバーラップ部１０ａは、やがてオリフィス１３を通過する。このとき、後続するワイプ７ｂは、オリフィス部材４の押圧部１８によって第一の抵抗Ｆ１を受けるとともに、オーバーラップ部１０ａはオリフィス１３から摩擦抵抗としての第二の抵抗Ｆ２を受けて、ワイプ７ａ、７ｂの重なり合いが解除されやすくなる。そして、ワイプ７ｂの始端が後述するオリフィス１３の外側へある程度引き出された時に、ワイプ７ａの終端と次のワイプ７ｂの始端とが分離し、オーバーラップ部１０ａが消滅する。すなわち、ワイプ７ａの終端と次のワイプ７ｂの始端との重なり合う部分をなすオーバーラップ部１０ａが分離部１０をなし、この分離部１０でワイプ７ａが次のワイプ７ｂを有する積層体６から引き離される。
【００５５】
（ミシン目型積層体６の例）
積層体６は、図７に示すように、分断部１０ｂを分離部１０として形成した長尺なワイプシート１４をつづら折りにして複数の折り返し部８、９を形成することで構成される。長尺なティッシュシート１４は、長手方向に沿って面順次に一列に並ぶワイプ７、７同士を部分的に繋げた構造を有している。このとき、ワイプ７、７同士を部分的に繋げた構造部が、分離部１０にあたる。この場合、分離部１０は、容器構造体３から積層体６の先端部を引き出した際に作用する押圧力とオリフィス１３から受ける摩擦力でワイプ７、７同士の分断される部分となり、ワイプ７が積層体６から引き離されることになる部分である。分離部１０は、形状を限定されるものではなく、例えば、ミシン目状に形成してもよいし、これ以外の形状であってもよい。
【００５６】
なお、図７に示す積層体６は、分離部１０が積層体６のほぼ中央に位置するように構成されているが、これは一例であって積層体６を上下方向に見た場合における分離部１０の位置は、特に限定されるものではなく、適宜選択可能である。また図７に示すように分離部１０のある層と分離部１０がない層とが交互に存在するようなパターンとなるように構成されている場合に限らず、分離部１０の存在パターンは、適宜選択可能である。
【００５７】
（収納空間２６）
オリフィス部材４は、図２、図３等に示すように取出口１２とオリフィス部材４との間に収納空間２６を形成するように構成されていてもよい。収納空間２６は、オリフィス部材４を、容器構造体３の奥方側に向かって凸状に湾曲した湾曲部２７を有する板状に形成することで、オリフィス部材４と取出口１２との間の空間部として形成することができる。ワイプ包装体１に収納空間２６が形成されていることで、ワイプ７のうちオリフィス１３から外側に出た部分を収納容器１５内により効果的に収納することができる。オリフィス部材４に湾曲部２７を形成する場合、湾曲部２７内の所定位置にオリフィス１３が形成されていることが好ましい。尚、オリフィス部材４は板状でなくても差し支えない。
【００５８】
（連通部４７）
ワイプ包装体１において、取出口部材１７とオリフィス部材４との間に収納空間２６が形成されている場合であっても、図３に示すように、収納容器１５の内部空間と収納空間２６とをオリフィス１３を除く部分で連通させる連通部４７が形成されていると、取出口１２とオリフィス部材４との間の空間と、連通部４７を介して繋がった収納容器内の空間を収納空間２６として利用でき、オリフィス１３から突出した後続のワイプ７の先端部を収容するための空間容積を拡大することができる。例えば、連通部４７は、オリフィス部材４を凸状に形成するとともにオリフィス部材４の凸状に突き出た部分の両側部で収納容器１５の内部空間と収納空間２６とを連通させることで具体的に形成できる。また、積層体６の嵩が低下してオリフィス部材４が収納容器１５の奥方に移動することで、オリフィス部材の自由端２２にも連通部４７が形成される。ワイプ包装体１に連通部４７が形成されることで、ワイプ７を収納空間２６に押し込んだ際に、収納空間２６内に収納しきれなかった部分が生じても、その部分を連通部４７から収納容器１５の内部空間に向けてより容易に流し込むことができる。特に積層体６の嵩が高い状態のとき（使用し始めの頃）、収納空間２６の容積を十分確保できないため、連通部４７を有していることで、オリフィス１３から突出した後続のワイプ７の先端部を収納容器内に容易かつ確実に収納することが可能である。またオリフィス部材４が奥方に移動すると、収納空間２６自体の容積も拡大されるため、連結部４７を介して容器内部と連通していると、オリフィス１３から突出したワイプを容器内に押し戻し戻して収納することを更に効果的に行える。
【００５９】
本発明のワイプ包装体１は、図２に示すように積層体６の嵩が低下するにともないオリフィス１３の位置がオリフィス部材４の移動につれて奥方側に移動するため、オリフィス１３及びその周囲部分と、取出口１２との間に徐々に拡大していくスペースが形成されるため、オリフィス部材４に湾曲部２７を設けて収納空間２６、連結部４７が形成されるように構成しなくとも、積層体６の嵩が低下した際に、オリフィス部材４の移動に伴って、取出口１２とオリフィス部材４との間の空間及びオリフィス部材４の自由端２２と収納容器１５内の連通した空間を収納空間として利用できるため、仮に後続するワイプ７先端部がオリフィス１３から外側に大きく突出してしまっても、その部分を取出部１１よりも容器構造体３内に押し込んで蓋体５を閉じることができ、ワイプ７の乾燥を抑制することができる。また、収納空間２６、連通部４７を有していると、積層体６の嵩が高い状態においても、オリフィス１３から突出したワイプを確実に収納できるため好ましい。
【００６０】
図２、図３の例では、オリフィス部材４は、基端２１側から自由端２２側に向かう方向に沿って湾曲して湾曲部２７を形成しているが、湾曲部２７の湾曲方向はこれに限定されない。なお、図３中、矢印Ｃ１は湾曲方向を示す。図１６に示すように、湾曲部２７は、基端２１側から自由端２２側に向かう方向を横切る方向（図１６中、矢印Ｃ２方向）に湾曲した形状に形成されてもよい。このとき湾曲部２７は、基端２１側から自由端２２側に向かう方向（図１６中、湾曲方向Ｃ１）、及び、基端２１側から自由端２２側に向かう方向を横切る方向（例えば、湾曲方向Ｃ２）の２方向ともに湾曲した形状に形成されていることが好ましい。湾曲部２７が、２方向に湾曲していることで、オリフィス部材４の強度を向上させることができオリフィス部材４の意図しない変形を抑制することができる。
【００６１】
また、本発明のワイプ包装体１では、図５に示すように先行して引き出されるワイプ７（Ｎ１）の後端側に位置する分離部１０とオリフィス１３との間隔が広がりにくいため、先行して引き出されるワイプ７に後続するワイプ７がオリフィス１３を通過する前にワイプ７、７の分離が生じてしまう虞も抑制される。
【００６２】
また、積層体６の嵩が低下した状態で、分離部１０において分離されて容器構造体３内に残された後続のワイプ７の先端がオリフィス１３に保持されず、仮に容器構造体３内に落ち込んだ状態になったような場合でも、オリフィス１３が斜めになって自由端２２側が容器構造体３側に入り込んでいるので、ワイプ７の先端部分を指先で容易につまみ上げて外に引き出すことができる。
【００６３】
［第２の実施形態］
第１の実施形態におけるワイプ包装体１では、オリフィス部材４は一枚構成に形成されていたが、ワイプ包装体１に設けられるオリフィス部材４の構成は、これに限定されず、オリフィス部材４が、複数のオリフィス部材形成片４４を組みあわせて構成されていてもよい。この第２の実施形態について図１２、図１３に基づいて説明する。
【００６４】
図１２、１３に示す第２の実施形態におけるワイプ包装体１は、オリフィス部材４が２枚のオリフィス部材形成片４４を組みあわせて構成されている点が第１の実施態様のワイプ包装体１相違しているが、その他の構成は第１の実施態様と同じであって良く、第１の実施の形態と同じ構成の箇所については説明を省略し、符号も同一のものを使用する。
【００６５】
第２の実施形態におけるオリフィス部材４は、２枚のオリフィス部材形成片４４うちの一方は、ワイプ包装体１の平面視上、オリフィス部材形成片４４の基端２１側から自由端２２側に向かう方向が、他方のオリフィス部材形成片４４とは逆向きとなるように取出部１１に片持ち支持されている。
【００６６】
図１２、図１３に示すオリフィス部材４は、２枚のオリフィス部材形成片４４ａ、４４ｂを組み合わせた状態でオリフィス１３が形成されており、各オリフィス部材形成片４４ａ、４４ｂは、それぞれ取出部１１に片持ち支持され、被支持端を基端２１としその逆端を自由端２２とした構成を備えている。オリフィス部材形成片４４ａ、４４ｂには、それぞれ第一の実施態様におけるオリフィス１３と同様の摘み孔部２８及び補助孔３３、３４の形状の半分の形状に相当する抜き部４６が形成され、オリフィス部材形成片４４ａの側端面とオリフィス部材形成片４４ｂの側端面を向かい合わせてオリフィス部材形成片４４ａ、４４ｂを配置し、且つ、オリフィス部材形成片４４ａの抜き部４６とオリフィス部材形成片４４ｂの抜き部４６を向かい合わせとすることで、第一の実施態様におけるオリフィス１３と同様の形状のオリフィス１３が形成されるよう構成されている。
【００６７】
図１２、図１３に示す例では、オリフィス１３が、２枚のオリフィス部材形成片４４ａ、４４ｂを組み合わせることで形成されているが、これに限定されず、３枚以上のオリフィス部材構成片を組みあわせてオリフィス部材を構成するようにしても良い。また複数のオリフィス部材構成片一部のみにオリフィス１３が形成されて、他のオリフィス部材形成片にはオリフィス１３の周囲を構成する部分とされてもよい。
【００６８】
第２の実施形態におけるワイプ包装体１によれば、図１３に示すように、積層体６の嵩が減少しても、複数のオリフィス部材形成片４４ａ、４４ｂは、それぞれの基端２１を中心にして回動し、自由端２２が収納容器１５の奥方側に移動する（図１３中、複数のオリフィス部材形成片４４ａ、４４ｂの自由端２２側の動く方向を矢印Ｋで示す）。複数のオリフィス部材形成片４４ａ、４４ｂそれぞれの押圧部１８で積層体６を容器構造体３の奥方向に押し付ける状態を維持でき、積層体６の積層構造がより確実に保持されるようになる。なお、図１３中、符号４４ａ（Ｔ１）、符号４４ｂ（Ｔ１）は、それぞれ積層体６の嵩が減少した状態におけるオリフィス部材形成片４４ａ、４４ｂを示す。
【００６９】
また、第２の実施形態におけるワイプ包装体１によれば、ワイプ包装体１を立てかけて使用した場合に、複数のオリフィス部材形成片４４それぞれが積層体６を容器構造体３の奥方向に押し付け、積層体６は複数位置で容器構造体３の奥方向に押し付けられることから、積層体６の積層構造の崩れがより確実に抑制できるようになる。
【００７０】
［第３の実施形態］
第１の実施形態におけるワイプ包装体１では、オリフィス部材４が取出部１１に片持支持されていたが、第３の実施形態では、図１４に示すようにオリフィス部材４が、取出部１１に所謂両持支持された構成になっている。尚、本発明において両持支持とは、前記片持支持に対する形態をいい、必ずしも基端の２点のみで支持されている場合に限らず、基端の全周に亘って支持されている場合も両持支持に包含される。
【００７１】
第３の実施形態におけるワイプ包装体１と第１の実施形態におけるワイプ包装体１とは、オリフィス部材４の支持構成は相違するが、その他の構成は第１の実施態様と同じであって良く、第１の実施の形態と同じ構成の箇所については説明を省略し、符号も同一のものを使用する。
【００７２】
例えば図１４Ａに示す態様は、取出部１１に固定した蛇腹５１にオリフィス部材４の両端を取り付け、圧縮した蛇腹５１の復元力によってオリフィス部材４が容器構造体３の奥方側（矢印Ｌ方向）に移動するように構成される。また図１４Ｂに示す態様は、取出部１１に固定したバネ５２、５２の他端のそれぞれに、オリフィス部材４を固定し、圧縮したバネ５２、５２の復元力によってオリフィス部材４が容器構造体３の奥方側（矢印Ｌ方向）に移動するように構成される。更に図１４Ｃに示す態様は、バネに代えて弾性体５３、５３にオリフィス部材４を固定し、弾性体５３、５３が湾曲するように圧縮してその復元力によりオリフィス部材４が容器構造体３の奥方側（矢印Ｌ方向）に移動するように構成される。尚、弾性体５３は別体のものであっても、オリフィス部材４の周囲に亘る一体構造のものであってもよい。また図１４Ｄに示す態様は、弾性体等からなる棒状の支持体５４の一端を折り曲げて取出部１１に取り付け、支持体５４の他端をオリフィス部材４に固定し、圧縮した折り曲げ部を圧縮した際の復元力によりオリフィス部材４が容器構造体３の奥方側（矢印Ｌ方向）に移動するように構成される。上記弾性体としては例えば、ゴム、プラスチック等が挙げられ、その他、弾性を有する素材であれば、これらに限定はされないが、通常はゴム、プラスチックが好ましい。ただし、図１４Ａ〜図１４Ｄは例示であって、上記した実施例等に限定されない。
【００７３】
［第４の実施形態］
上記第１〜第３の実施形態では、オリフィス部材４が取出部１１に片持支持ないし両持支持されていたが、第４の実施形態では、オリフィス部材４が、取出部１１に機械的に支持されていない構成になっている。
【００７４】
第４の実施形態として示すおけるワイプ包装体１と、第１の実施形態におけるワイプ包装体１とは、オリフィス部材４が取出部１１に支持されていない点で相違しているが、その他の構成は第１の実施態様と同じであって良く、第１の実施の形態と同じ構成の箇所については説明を省略し、符号も同一のものを使用する。
【００７５】
図１７に示すように、第４の実施形態におけるワイプ包装体１では、オリフィス部材４が、取出部１１に支持されていない状態とされているから、積層体６からワイプ７が引き出されて積層体６の厚みが減少することに伴って、オリフィス部材４の自重でオリフィス部材４のオリフィス１３が容器構造体３の奥方側（図１７中、矢印Ｍ方向側）に移動する。なお、図１７中、符号４（Ｔ１）は、積層体６の嵩が所定量まで減少した場合におけるオリフィス部材４を示し、符号１３（Ｔ１）は、オリフィス部材４（Ｔ１）のオリフィス１３を示す。
【００７６】
このワイプ包装体１は、積層体６の最上面上にオリフィス部材４が載置された状態を形成しやすくなり、先行して引き出されるワイプ７の後端側に位置する分離部１０とオリフィス１３との間隔があくのを防止できる。このため、オリフィス１３からワイプ７に対して適度な摩擦力が負荷された状態が保持されやすくなり、先行するワイプ７とそれに後続するワイプ７との分離が生じるタイミングにずれが生じにくくなる。
【００７７】
（延長部４５）
第４の実施形態におけるワイプ包装体１においては、オリフィス部材４は、その外周端の少なくとも一部を積層体６の平面方向に沿った方向に延長した延長部４５が延設形成されていてもよい。延長部４５が形成されていることで、オリフィス部材４が積層体６の厚み方向に動いたとしても、オリフィス部材４は積層体６の平面方向に容易に動き難くすることができるとともに、オリフィス部材４の自重を増やすこともできる。
【００７８】
以上、詳細に説明したワイプ包装体１は、本発明に係るワイプ包装体１の実施態様のごく一部の例であり、本発明の趣旨を逸脱しない範囲で、適宜の実施態様を採りうるものである。
【符号の説明】
【００７９】
１  ワイプ包装体
３  容器構造体
４  オリフィス部材
５  蓋体
６  ワイプ積層体
７  ワイプ
８、９  折り返し部
１０  分離部
１０ａ  オーバーラップ部
１０ｂ  分断部
１１  取出部
１２  取出口
１３  オリフィス
１４  ワイプシート
１５  収納容器
１６  開口部
１７  取出口部材
１８  押圧部
１９  取付部
２１  基端
２２  自由端
２３  屈曲部
２４  弾性体
２５  載置面
２６  収納空間
２７  湾曲部
２８  摘み孔部
３３、３４  補助孔
３７、３８  スリット
４０  リブ  
４１  基端部
４２  自由端部
４３  中央部
４４  オリフィス部材形成片
４５  延長部
４６  抜き部
４７  連通部
５１  蛇腹
５２  バネ
５３  弾性体
５４  支持体
【図１】
2014141716.tif 000004
【図２】
2014141716.tif 000005
【図３】
2014141716.tif 000006
【図４】
2014141716.tif 000007
【図５】
2014141716.tif 000008
【図６】
2014141716.tif 000009
【図７】
2014141716.tif 000010
【図８】
2014141716.tif 000011
【図９】
2014141716.tif 000012
【図１０】
2014141716.tif 000013
【図１１】
2014141716.tif 000014
【図１２】
2014141716.tif 000015
【図１３】
2014141716.tif 000016
【図１４】
2014141716.tif 000017
【図１５】
2014141716.tif 000018
【図１６】
2014141716.tif 000019
【図１７】
2014141716.tif 000020
【図１８】
2014141716.tif 000021
【国際調査報告】
2014141716.tif 000022
2014141716.tif 000023
2014141716.tif 000024
2014141716.tif 000025